(57)【要約】【課題】２以上の制御基板を収納する電装品箱であっても、万が一、電装部品が発火した場合でも、電装品箱から周囲に類焼せず、室外機全体が焼損する可能性がない、安全性の高い空気調和機の室外機を提供すること。【解決手段】本発明の空気調和機の室外機は、少なくとも２個以上の制御基板を有する空気調和機の室外機において、発熱部品が実装される第１の制御基板を保持し、圧縮機と送風ファンとを仕切る仕切板の上部に設置される第１の基板ホルダ部分を有する電装品箱と、その他の電気部品が実装される複数の制御基板と複数の制御基板を保持する、第１の基板ホルダに対して略水平に設置される複数の電装品箱とを備え、それぞれの電装品箱が分離可能な構造を備え、かつ、それぞれの外郭を板金カバーで覆った。【選択図】図２
2012002415.tif 000002
【特許請求の範囲】
【請求項１】
少なくとも２個以上の制御基板を有する空気調和機の室外機において、発熱部品が実装される第１の制御基板を保持し、圧縮機と送風ファンとを仕切る仕切板の上部に設置される第１の基板ホルダ部分を有する電装品箱と、その他の電気部品が実装される複数の制御基板と複数の制御基板を保持する、第１の基板ホルダに対して略水平に設置される複数の電装品箱とを備え、それぞれの電装品箱が分離可能な構造を備え、かつ、それぞれの外郭を板金カバーで覆ったことを特徴とする空気調和機の室外機。
【請求項２】
板金カバーの内側方向にへこみ形状を設け、電装品箱に板金カバーの内側方向のへこみ形状と勘合する突起を設けた構造を備えることを特徴とする請求項１に記載の空気調和機の室外機。
【請求項３】
板金カバーの上部を押さえる押さえ部を、電装品箱に設けたことを特徴とする請求項２に記載の空調和機の室外機。
【発明の詳細な説明】
【技術分野】
【０００１】
本発明は、電気部品を収納する電装品箱を備えた空気調和機の室外機に関するものである。
【背景技術】
【０００２】
従来、空気調和機の制御を行なうための電装品箱は、発熱部品が実装される第１の制御基板を保持し、圧縮機と送風ファンとを仕切る仕切板の上部に設置される第１の基板ホルダと、発熱部品でない部品が実装される第２の制御基板を保持し、前記仕切板の前記圧縮機側に前記第１の基板ホルダに対して略水平に設置される第２の基板ホルダと、前記第１の制御基板に取り付けられ、前記仕切板の前記送風ファン側に突出する放熱フィンとを備えるものである（例えば、特許文献１参照）。
【０００３】
図４は、従来の空気調和機の電装品箱の構造の一例を示す分解斜視図である。図４に示すように、電装品箱１０１は、樹脂を材料とし互いに平行に近くなるように一体成型される、第１の基板ホルダである基板ホルダ１０２と第２の基板ホルダである基板ホルダ１０３とから構成される。
【０００４】
第１の制御基板１０４は、発熱部品１０５を含む複数の電気部品が実装され、基板ホルダ１０２に取り付けられる。制御基板１０４には、放熱フィン１０６が取り付けられ、発熱部品１０５からの熱を放出する。
【０００５】
第２の制御基板１０７は、複数の電気部品１０９が実装され、基板ホルダ１０３に設けられるスロット１０８に挿入される。このため、制御基板１０４と制御基板１０７とは、互いに略水平になるように設置される。
【先行技術文献】
【特許文献】
【０００６】
【特許文献１】特開２００８−２６１５０８号公報
【発明の概要】
【発明が解決しようとする課題】
【０００７】
しかしながら、上記従来の空気調和機の電装品箱では、２つの制御基板仕様を収納するため、電装品箱の形状が複雑になる。そのため、一般的には樹脂製で一体に成型されている。ところが、万が一、電装部品が発火した場合、その電装品箱は樹脂製で成型されているため、電装品箱から周囲に類焼し、室外機全体が焼損する可能性があった。
【０００８】
本発明は、前記従来の課題を解決するためになされたもので、２以上の制御基板を収納する電装品箱であっても、万が一、電装部品が発火した場合でも、電装品箱から周囲に類焼せず、室外機全体が焼損する可能性がない、安全性の高い空気調和機の室外機を提供することを目的とする。
【課題を解決するための手段】
【０００９】
前記従来の課題を解決するために、本発明の空気調和機の室外機は、少なくとも２個以上の制御基板を有する空気調和機の室外機において、発熱部品が実装される第１の制御基板を保持し、圧縮機と送風ファンとを仕切る仕切板の上部に設置される第１の基板ホルダ部分を有する電装品箱と、その他の電気部品が実装される複数の制御基板と複数の制御基板を保持する、第１の基板ホルダに対して略水平に設置される複数の電装品箱とを備え、
それぞれの電装品箱が分離可能な構造を備え、かつ、それぞれの外郭を板金カバーで覆ったことにより、複数の電装品箱は板金カバーで覆われているため、万が一、電装部品が発火した場合でも、電装品箱から周囲に類焼せず、室外機全体が焼損する可能性がない、安全性の高い空気調和機の室外機を提供することが可能である。
【発明の効果】
【００１０】
本発明は、２以上の制御基板を収納する電装品箱であっても、万が一、電装部品が発火した場合でも、電装品箱から周囲に類焼せず、室外機全体が焼損する可能性がない、安全性の高い空気調和機の室外機を提供することができる。
【図面の簡単な説明】
【００１１】
【図１】本発明の本実施の形態による電装品箱を有する室外機の正面図
【図２】本発明の実施の形態による空気調和機の電装品箱の構造を示す分解斜視図
【図３】本発明の実施の形態による空気調和機の電装品箱の構造を示す要部断面図
【図４】従来の空気調和機における電装品箱の構造を示す分解斜視図
【発明を実施するための形態】
【００１２】
第１の発明の空気調和機の室外機は、少なくとも２個以上の制御基板を有する空気調和機の室外機において、発熱部品が実装される第１の制御基板を保持し、圧縮機と送風ファンとを仕切る仕切板の上部に設置される第１の基板ホルダ部分を有する電装品箱と、その他の電気部品が実装される複数の制御基板と複数の制御基板を保持する、第１の基板ホルダに対して略水平に設置される複数の電装品箱とを備え、それぞれの電装品箱が分離可能な構造を備え、かつ、それぞれの外郭を板金カバーで覆ったことにより、複数の電装品箱は板金カバーで覆われているため、万が一、電装部品が発火した場合でも、電装品箱から周囲に類焼せず、室外機全体が焼損する可能性がない、安全性の高い空気調和機の室外機を提供することが可能である。
【００１３】
第２の発明の空気調和機の室外機は、特に第１の発明において、板金カバーの内側方向にへこみ形状を設け、電装品箱に板金カバーの内側方向のへこみ形状と勘合する突起を設けた構造を備えることにより、板金カバーの取り付けを容易とすることが可能となる。
【００１４】
第３の発明の空気調和機の室外機は、特に第２の発明において、板金カバーの上部を押さえる押さえ部を、電装品箱に設けたことにより、板金カバーの端面を押さえることが出来、板金カバーが電装品箱から外れるのを防止することが可能となる。
【００１５】
以下、本発明の実施の形態について、図面を参照しながら説明する。なお、この実施の形態によって本発明が限定されるものではない。
【００１６】
（実施の形態１）
図１は、本実施の形態の電装品箱を有する空気調和機の室外機２の正面図である。図１に示されるように、電装品箱は、室外機２の内部の、圧縮機３と送風ファン４とを仕切る仕切板５の上部に収納されている。
【００１７】
そして、第１の制御基板６ａは、仕切板５の圧縮機３側の空間に配置される。放熱フィン７は、第一の電装品箱１ａに設けられる開口部８から、仕切板５の送風ファン４側の空間に突出する。このため、送風ファン４がファンモータ（図示せず）に駆動されることにより、放熱フィン７からの放熱が促進される。なお、第１の制御基板６ａ、第２の制御基板６ｂ、圧縮機３、ファンモータ（図示せず）はハーネスなどによって接続される。
【００１８】
また、図２は、本発明の実施の形態である空気調和機の電装品箱の構造を示す分解斜視
図である。図２に示すように、第１の電装品箱１ａと第２の電装箱１ｂとは、樹脂を材料とし別々に成型される。
【００１９】
そして、第１の電装品箱１ａは第１の制御基板６ａを保持する基板ホルダ１１ａから構成され、第２の電装箱１ｂは第２の制御基板６ｂを保持する基板ホルダ１１ｂとから構成される。
【００２０】
また、第１の制御基板６ａは、発熱部品９を含む複数の電気部品が実装され、基板ホルダ１１ａに取り付けられる。制御基板３ａには、放熱フィン７が取り付けられ、発熱部品からの熱を放出する。
【００２１】
また、第２の制御基板６ｂは、複数の電気部品１０が実装され、基板ホルダ１１ｂに取り付けられる。このため、第１の制御基板６ａと第２の制御基板６ｂとは、互いに略水平になるように設置される。
【００２２】
また、電装箱１ａと、電装品箱１ｂには、板金カバー１２ａと１２ｂが取り付けられる。
【００２３】
図３は、本発明の実施の形態である空気調和機の電装品箱の構造を示す要部断面図である。図３に示すように板金カバー１２ａ、１２ｂには内側方向にくぼみ１３が、電装箱１ａと電装品箱１ｂに設けられた突起１４と勘合するように設けられ、電装品箱１ａと電装品箱１ｂへ固定を可能としている。
【００２４】
また、電装品箱１ａと電装品箱１ｂに板金カバーの上部を押さえる、押さえ部１５を設けて、板金カバー１２ａ、１２ｂ、がそれぞれ電装箱１ａ、１ｂから外れることを防止することが出来る。
【００２５】
この構成によれば複数の電装品箱は板金カバーで覆われているため、万が一、電装部品が発火した場合でも、電装品箱から周囲に類焼せず、室外機全体が焼損する可能性がない、安全性の高い空気調和機の室外機を提供することが可能である。
【産業上の利用可能性】
【００２６】
以上のように、本発明にかかる電装品箱は、万が一、電装部品が発火した場合でも、電装品箱から周囲に類焼せず、室外機全体が焼損する可能性がない、安全性の高い空気調和機の室外機を提供することが可能であり、圧縮機や電装品箱を有するヒートポンプ式給湯機などにも適用できる。
【符号の説明】
【００２７】
１ａ  電装品箱
１ｂ  電装品箱
２  室外機
３  圧縮機
４  送風ファン
５    仕切板
６ａ  第１の制御基板
６ｂ  第２の制御基板
７    放熱フィン
８    開口部
９    発熱部品
１０  電気部品
１１ａ  基板ホルダ
１１ｂ  基板ホルダ
１２ａ  板金カバー
１２ｂ  板金カバー
１３  くぼみ
１４  突起
１５  押さえ部
【図１】
2012002415.tif 000003
【図２】
2012002415.tif 000004
【図３】
2012002415.tif 000005
【図４】
2012002415.tif 000006